(57)【要約】【課題】写真処理装置と端末処理装置とをネットワークで接続した場合において、ハードウェアによる画像処理部を備えない端末処理装置においても、効率良く画像処理を行うこと。【解決手段】画像処理データを生成するソフトウェアによる第１画像処理部１０と、画像処理データに基づいて露光用画像データを生成するハードウェアによる第２画像処理部２０と、生成された露光用画像データに基づいて写真感光材料に画像を焼付露光する露光エンジン３２とを備えた写真処理装置１と、写真処理装置１とネットワーク３により接続され、画像処理データを生成するソフトウェアによる第３画像処理部４０と、画像処理データを第２画像処理部２０へ送信する画像データ送信部とを備えた端末処理装置２とから構成され、端末２は、第３画像処理部４０による画像処理を行うに際し、特定の画像処理について、第２画像処理部２０に依頼する画像処理依頼手段５３と、第２画像処理部２０により処理された結果を受け取る処理結果受取手段５４とを備えている。【選択図】図２
2006108905.tif 000002
【特許請求の範囲】
【請求項１】
画像処理データを生成する機能を有するソフトウェアによる第１画像処理部と、生成された画像処理データに基づいて露光用画像データを生成する機能を有するハードウェアによる第２画像処理部と、この生成された露光用画像データに基づいて写真感光材料に画像を焼付露光する画像露光部とを備えた写真処理装置と、
この写真処理装置とネットワークにより接続され、画像処理データを生成する機能を有するソフトウェアによる第３画像処理部と、生成された画像処理データを前記第２画像処理部へ送信する画像データ送信部とを備えた端末処理装置とから構成され、
端末処理装置は、第３画像処理部による画像処理を行うに際し、特定の画像処理について、その処理を第２画像処理部に依頼する画像処理依頼手段と、第２画像処理部により処理された結果を受け取る処理結果受取手段とを備えていることを特徴とする画像処理システム。
【請求項２】
画像処理データを生成する機能を有するソフトウェアによる第１画像処理部と、
生成された画像処理データに基づいて露光用画像データを生成する機能を有するハードウェアによる第２画像処理部と、
この生成された露光用画像データに基づいて写真感光材料に画像を焼付露光する画像露光部とを備えた写真処理装置であって、
ネットワークを介して接続された端末処理装置から特定の画像処理の依頼を受け付ける画像処理受付手段と、
受け付けた画像処理の依頼を第２画像処理部により実行させる画像処理制御手段と、
処理された結果を端末処理装置に送り返す処理結果送出手段とを備えていることを特徴とする写真処理装置。
【請求項３】
前記画像処理制御手段は、第２画像処理部の使用状況を監視する監視手段を備えており、使用可能なときに依頼に係る画像処理を実行させることを特徴とする請求項２に記載の写真処理装置。
【請求項４】
ネットワークを介して接続された複数の端末処理装置から画像処理の依頼を受け付けた場合、前記画像処理制御手段は、処理の順番を調整する調整手段を備えていることを特徴とする請求項２又は３に記載の写真処理装置。
【請求項５】
第２画像処理部を使用できない状態のとき、前記画像処理制御手段は、使用不能である旨の信号を依頼に係る端末処理装置に返信する返信手段を備えていることを特徴とする請求項２〜４のいずれか１項に記載の写真処理装置。
【請求項６】
画像処理データを生成する機能を有するソフトウェアによる第１画像処理部と、生成された画像処理データに基づいて露光用画像データを生成する機能を有するハードウェアによる第２画像処理部と、この生成された露光用画像データに基づいて写真感光材料に画像を焼付露光する画像露光部とを備えた写真処理装置とネットワークにより接続された端末処理装置であって、
画像処理データを生成する機能を有するソフトウェアによる第３画像処理部と、
生成された画像処理データを前記第２画像処理部へ送信する画像データ送信部と、
第３画像処理部による画像処理を行うに際し、特定の画像処理について、その処理を第２画像処理部に依頼する画像処理依頼手段と、
第２画像処理部により処理された結果を受け取る処理結果受取手段とを備えていることを特徴とする端末処理装置。
【請求項７】
画像処理の依頼を行い、第２画像処理部を使用できない旨の信号を受け取った場合、前記画像処理依頼手段は、所定時間後に再度同じ依頼を行うことを特徴とする請求項６に記載の端末処理装置。
【発明の詳細な説明】
【技術分野】
【０００１】
本発明は、画像処理データを生成する機能を有するソフトウェアによる第１画像処理部と、生成された画像処理データに基づいて露光用画像データを生成する機能を有するハードウェアによる第２画像処理部と、この生成された露光用画像データに基づいて写真感光材料に画像を焼付露光する画像露光部とを備えた写真処理装置、及び、この写真処理装置とネットワークにより接続され、画像処理データを生成する機能を有するソフトウェアによる第３画像処理部と、生成された画像処理データを前記第２画像処理部へ送信する画像データ送信部とを備えた端末処理装置、及び、これら写真処理装置及び端末処理装置から構成される画像処理システムに関するものである。
【背景技術】
【０００２】
かかる写真処理装置における写真プリントの作成手順について説明する。写真処理装置は、写真プリントを作成するもとになる画像データを取得し、この画像データに対して画像処理を施して画像処理データを生成した後、露光用画像データを生成し、これに基づいて画像露光部にて写真感光材料に画像を焼付露光し写真プリントが作成される。露光用画像データを生成するまでの過程において画像処理が行われる、そのために、ソフトウェアによる第１画像処理部とハードウェアによる第２画像処理部とが設けられている。
【０００３】
第１画像処理部の機能は、入力された画像データをモニター画面にサムネイル画像の形で表示させ、オペレータにより画像に対する種々の判定を行わせることである。つまり、写真プリントを作成する前に、適切な画質の写真プリントが作成できるか否かを判定する。かかるオペレータによる判定をプレジャッジとも称している。プレジャッジにより、例えば、色・濃度が適切な写真プリントとなるか否かを判定し、必要に応じて、色・濃度の補正データ（画像処理データに相当）を入力する。この入力により、第１画像処理部により演算処理がされ、処理された結果がモニター画面に表示される画像（サムネイル画像）に反映され、補正データが適切か否かを確認することができる。その他の判定事項としては、赤目補正、逆光補正等の特殊補正を行うか否か、トリミングを行うか否か、プリントサイズについての設定などがあげられ、これらの補正を行う場合にも、適宜補正データが第１画像処理部の機能に基づき生成される。そして、モニター画面により、事前に補正を行った結果の画像（サムネイル画像）を確認することができる。このように、画像処理機能として、画像補正を行った場合のシミュレーションを行うことができる。
【０００４】
プレジャッジ作業が終了すると、写真プリントを作成する処理に移行することができる。写真プリントを作成するためには、露光用画像データを生成する必要があり、そのためにハードウェアによる第２画像処理部を用いる。プレジャッジではサムネイル画像をベースとしているため、画像データのデータ量も少なく、ソフトウェアによる第１画像処理部で実用上充分に機能する。しかし、露光用画像データの生成に際しては、オリジナルの画像データをそのまま取り扱うため、データ量も多くなってくる。そのため、ソフトウェアに基づく演算処理では時間がかかりすぎ、プリント処理の効率が低下するという問題が発生する。従って、露光用画像データの生成にあたっては、ハードウェアによる第２画像処理部を用いるようにしている。露光用画像データは、オリジナルの画像データと、プレジャッジの際に設定された補正データ等に基づいて生成される。この露光用画像データが画像露光部に転送されて、写真感光材料に対する画像の焼付露光が行われ、写真プリントの作成が行われる。
【０００５】
以上のように、写真処理装置においては、第１画像処理部を用いたプレジャッジ作業と、写真プリントを作成するプリント処理とが行われるが、プレジャッジを行っている間は、プリント処理を実行できないような状況であると、写真処理装置の全体の稼働率が低下するため、プレジャッジだけでも写真処理装置以外で行うことができるようなシステムが必要である。そこで、写真処理装置と端末処理装置（１台又は複数台）とをネットワークにより接続し、端末処理装置でも画像データの入力を受け付けてソフトウェアによる画像処理部を設ける構成が考えられる（例えば、下記特許出願１）。このように構成すれば、端末処理装置を用いて処理を分散することができ、システム全体の効率を上げることができる。
【０００６】
しかしながら、端末処理装置を用いてプレジャッジを行う場合には次のような問題がある。第１画像処理部による画像処理の中には、ハードウェアを用いなければできないような処理やハードウェアを用いた方が処理効率がよくなるような処理がある。例えば、テンプレートを用いた画像合成や、赤目補正などの特殊な画像処理である。写真処理装置の第１画像処理部で、かかる画像処理を行う場合、ハードウェアによる第２画像処理部の機能を利用することで、プレジャッジ作業の効率アップを図っている。
【０００７】
一方、端末処理装置に設けられる画像処理部はソフトウェアに基づくものであり、上述した特定の画像処理を行うことができない状態となる。端末処理装置にもハードウェアによる画像処理部を導入すれば、上記の特定の画像処理も行うことができるようになるが、ハードウェアは高価であり、端末処理装置にも設けるとなると写真店におけるコスト負担が大きくなる。特に、ネットワークに多数の端末処理装置を接続して画像処理システムを構成する場合に、個々の端末処理装置にハードウェアによる画像処理部を組み込むと、コスト負担が多大なものになる。
【特許文献１】特開２００３−２４１９３５号公報
【発明の開示】
【発明が解決しようとする課題】
【０００８】
本発明は上記実情に鑑みてなされたものであり、その課題は、写真処理装置と端末処理装置とをネットワークで接続した場合において、ハードウェアによる画像処理部を備えない端末処理装置においても、効率良く画像処理を行うことができるような画像処理システムを提供することである。
【課題を解決するための手段】
【０００９】
上記課題を解決するため本発明に係る画像処理システムは、
画像処理データを生成する機能を有するソフトウェアによる第１画像処理部と、生成された画像処理データに基づいて露光用画像データを生成する機能を有するハードウェアによる第２画像処理部と、この生成された露光用画像データに基づいて写真感光材料に画像を焼付露光する画像露光部とを備えた写真処理装置と、
この写真処理装置とネットワークにより接続され、画像処理データを生成する機能を有するソフトウェアによる第３画像処理部と、生成された画像処理データを前記第２画像処理部へ送信する画像データ送信部とを備えた端末処理装置とから構成され、
端末処理装置は、第３画像処理部による画像処理を行うに際し、特定の画像処理について、その処理を第２画像処理部に依頼する画像処理依頼手段と、第２画像処理部により処理された結果を受け取る処理結果受取手段とを備えていることを特徴とするものである。
【００１０】
かかる構成による画像処理システムの作用・効果を説明する。画像処理システムは、写真処理装置と端末処理装置とをネットワークにより接続することで構成される。写真処理装置は、ソフトウェアによる第１画像処理部と、ハードウェアによる第２画像処理部とを備えている。オペレータによるプレジャッジ作業は、主として第１画像処理部に機能を用いて行われる。第１画像処理部により、画像処理データが生成され、これと画像データを用いて第２画像処理部により露光用画像データが生成される。
【００１１】
一方、端末処理装置にもソフトウェアによる第３画像処理部が設けられており、写真処理装置と同様にオペレータによるプレジャッジ作業を行うことができる。そして特定の処理を行う場合は、画像処理依頼手段の機能により、写真処理装置に対してその処理の依頼を行う。これにより、必要なデータが端末処理装置から写真処理装置へと送信され、写真処理装置の有するハードウェアによる第２画像処理部を用いて画像処理を行うことができる。処理された結果は、端末処理装置に送り返され、処理結果受取手段により処理結果が受けとられる。このように、ハードウェアで行うべき処理を写真処理装置に行わせることができ、端末処理装置では高価なハードウェアを組み込む必要がなく、効率良く処理を行うことができる。その結果、写真処理装置と端末処理装置とをネットワークで接続した場合において、ハードウェアによる画像処理部を備えない端末処理装置においても、効率良く画像処理を行うことができるような画像処理システムを提供することができる。
【００１２】
上記課題を解決するため本発明に係る写真処理装置は、
画像処理データを生成する機能を有するソフトウェアによる第１画像処理部と、
生成された画像処理データに基づいて露光用画像データを生成する機能を有するハードウェアによる第２画像処理部と、
この生成された露光用画像データに基づいて写真感光材料に画像を焼付露光する画像露光部とを備えた写真処理装置であって、
ネットワークを介して接続された端末処理装置から特定の画像処理の依頼を受け付ける画像処理受付手段と、
受け付けた画像処理の依頼を第２画像処理部により実行させる画像処理制御手段と、
処理された結果を端末処理装置に送り返す処理結果送出手段とを備えていることが好ましい。
【００１３】
かかる写真処理装置を用いることで、前述したような画像処理システムを構成することができる。
【００１４】
本発明に係る前記画像処理制御手段は、第２画像処理部の使用状況を監視する監視手段を備えており、使用可能なときに依頼に係る画像処理を実行させることが好ましい。
【００１５】
第２画像処理部は、写真処理装置と端末処理装置の双方で利用されることになるので、第２画像処理部の使用状況を監視することが好ましい。これにより、第２画像処理部の空き状況等を監視しながら、適切なタイミングで第２画像処理部を利用することができる。
【００１６】
本発明において、ネットワークを介して接続された複数の端末処理装置から画像処理の依頼を受け付けた場合、前記画像処理制御手段は、処理の順番を調整する調整手段を備えていることが好ましい。
【００１７】
端末処理装置から、処理の依頼を受ける場合、同じようなタイミングで複数の端末処理装置から依頼を受けることもありうる。かかる場合、処理の順番を調整することが好ましい。例えば、適宜の優先順位を設定して処理を行うことが好ましい。これにより、複数の端末処理装置から同時に依頼があった場合でも、適切に処理を行うことができる。
【００１８】
本発明において、第２画像処理部を使用できない状態のとき、前記画像処理制御手段は、使用不能である旨の信号を依頼に係る端末処理装置に返信する返信手段を備えていることが好ましい。
【００１９】
第２画像処理部を使用できない場合は、使用できない旨を返信することで、端末処理装置のオペレータに対して知らせることができる。また、適当なタイミングの後、再度依頼することができる。
【００２０】
上記課題を解決するため本発明に係る端末処理装置は、
画像処理データを生成する機能を有するソフトウェアによる第１画像処理部と、生成された画像処理データに基づいて露光用画像データを生成する機能を有するハードウェアによる第２画像処理部と、この生成された露光用画像データに基づいて写真感光材料に画像を焼付露光する画像露光部とを備えた写真処理装置とネットワークにより接続された端末処理装置であって、
画像処理データを生成する機能を有するソフトウェアによる第３画像処理部と、
生成された画像処理データを前記第２画像処理部へ送信する画像データ送信部と、
第３画像処理部による画像処理を行うに際し、特定の画像処理について、その処理を第２画像処理部に依頼する画像処理依頼手段と、
第２画像処理部により処理された結果を受け取る処理結果受取手段とを備えていることを特徴とするものである。
【００２１】
かかる端末処理装置を用いることで、前述したような画像処理システムを構成することができる。
【００２２】
本発明において、画像処理の依頼を行い、第２画像処理部を使用できない旨の信号を受け取った場合、前記画像処理依頼手段は、所定時間後に再度同じ依頼を行うことが好ましい。
【００２３】
画像処理の依頼を行って、第２画像処理部を使用できなかった場合は、所定時間後に再度同じ依頼を行うようにする。これにより、第２画像処理部が使用できる状態になれば、直ちに処理を行うことができる。
【発明を実施するための最良の形態】
【００２４】
本発明に係る画像処理システムの好適な実施形態を図面を用いて説明する。図１は、システムの概要を示す模式図である。
【００２５】
＜画像処理システムの構成＞
図１において、画像処理システムは写真処理装置１と端末処理装置２とがネットワーク３により接続されている。ネットワーク３に接続される写真処理装置１の台数は１台又は複数台であり、接続される台数は任意に設定することができる。同じく、ネットワーク３に接続される端末処理装置２の台数も１台又は複数台であり、接続される台数は任意に設定することができる。ネットワーク３は、例えば、イーサネット（登録商標）によるＬＡＮにより構築されるが、イーサネット（登録商標）以外のネットワーク３による接続であっても良い。また、ネットワーク３はインターネット４を介してサーバー５とも接続可能に構成されている。
【００２６】
これら写真処理装置１と端末処理装置２により構築される画像処理システムは、例えば、写真店内に設置されるものである。写真処理装置１と端末処理装置２とは、同じフロアーに設置される必要はなく、複数のフロアーに設置することができる。また、写真処理装置１や端末処理装置２の一部を距離的に離れた場所に設置してもよい。
【００２７】
次に、写真処理装置１の機能を簡単に説明する。写真処理装置１は、入力された画像データに基づいて、ペーパー（写真感光材料）の乳剤面に画像を焼付露光させ、写真プリントを作成することができる。写真処理装置１に入力される画像データとしては、写真処理装置１に対して直接的に入力されるものと、ネットワーク３を介して入力されるものがある。すなわち、 写真処理装置１では、少なくとも第１プリントモードと第２プリントモードとを選択的に設定することができる。
【００２８】
第１プリントモードでは、ネットワーク３との接続状態とは関係なく、写真処理装置１単独で写真処理を実行することができる。その代表的な処理として、スキャナー装置６により現像済み写真フィルムのコマ画像を読み取り、取得した画像データを用いて写真プリントを作成する処理があげられる。なお、スキャナー装置６を介して取得された画像データは、ただちに画像露光用として用いられるのではなく、種々の画像処理が行われた後、露光用画像データを生成し、この露光用画像データによりペーパーに対する画像の焼付露光がなされる。写真処理装置１には、画像処理を行うための第１画像処理部１０及び第２画像処理部１１（図２参照）が設けられている。
【００２９】
一方、第２プリントモードでは、ネットワーク３を介して転送されてくる画像データ（及び画像処理データ）が入力される。第１プリントモードの場合と同様に、この画像データに基づいて露光用画像データを生成し、写真プリントが作成される。第２プリントモードでは、ネットワーク３に接続されている端末処理装置２から画像データ（画像処理データ）が転送されてくる。
【００３０】
ここで、端末処理装置２の機能を簡単に説明する。端末処理装置２は、例えば、汎用のパソコンシステムにより構成することができる。端末処理装置２で取り扱う画像データは、デジタルカメラの記憶メディア（スマートメディア（登録商標）、コンパクトフラッシュ（登録商標）、メモリースティック（登録商標）等) やＣＤ−Ｒ、ＭＯ等の記録媒体に格納された画像データであり、これらの媒体から画像データを取得するためのドライブ装置が設けられている。
【００３１】
また、写真処理装置１と同様に、端末処理装置２にも画像処理を行うための第３画像処理部が設けられている。したがって、端末処理装置２から入力された画像データを写真処理装置１に転送する場合は、第３画像処理部で画像処理された結果得られた画像処理データが転送されることになる。詳しくは後述するが、端末処理装置２における画像処理は、ソフトウェアによるものが基本であるが、写真処理装置１の機能を利用してハードウェアによる画像処理を行うこともできる。
【００３２】
本発明に係る画像処理システムは、インターネット４を介してサーバー５にも接続可能に構成されており、このサーバー５により、一般ユーザーからのプリント注文をオンラインで受けることができる。すなわち、 ユーザーは、自分のパソコンを使用して、写真プリントを作成したい画像データをサーバー５にアップロードする。写真店では、サーバー５にアップロードされている画像データを適宜のタイミングでダウンロードして、写真プリントを作成することができる。また、サーバー５には、オンラインアルバムをユーザーに対して提供する機能も有する。なお、ダウンロードした画像データは、例えば、端末処理装置２内に保存される。
【００３３】
＜画像処理システムの機能ブロック構成＞
＜写真処理装置の機能ブロック構成＞
次に、画像処理システムの主要な機能を図２及び図３のブロック図を用いて説明する。まず、図２により、写真処理装置１の主要な機能を説明する。
【００３４】
スキャナー装置６は、現像済みの写真フィルムに形成されているコマ画像から画像データを取得するための装置である。図示はしないが、画像データ読み取り用の光源やＣＣＤラインセンサー等が設けられている。写真フィルム以外の媒体からも画像データを取得可能であり、そのための画像入力装置７が設けられている。画像入力装置７は、後述する端末処理装置２と同様に各種記録媒体に格納された画像データを取得することができる。スキャナー装置６や画像入力装置７を介して取得された画像データは、画像データ記憶部８に一旦記憶・保持される。なお、写真処理装置１には、画像入力装置７の機能はなくてもよい。同じ機能を端末処理装置２にも備えさせているからである。
【００３５】
第１画像処理部１０は、画像データに対する画像処理を行う機能を有しており、ソフトウェアにより構成される。第１画像処理部１０は、ＧＵＩ１１と、画像処理手段１２と、ハード制御手段１３により構成される。ＧＵＩ１１は、グラフィカル・ユーザー・インターフェイスであり、モニター画面を通じて画像処理に関するデータ入力操作等を行うことができる。画像処理（プレジャッジ）を行うときの画面構成例に関しては後述する。第１画像処理部１０の基本的な機能は、オペレータによるプレジャッジを適切に行うことであり、プレジャッジの結果、オペレータの操作を介して補正データが入力される。入力された補正データは、補正データ記憶部１７に保存される。画像データ記憶部８と補正データ記憶部１７を合わせてデータ記憶部１８と定義する。
【００３６】
ハード制御手段１３は、ハードウェアにより構成される第２画像処理部２０（画像処理基板）に対する制御を行う機能である。第１画像処理部１０において画像処理された結果得られた画像処理データは、第２画像処理部２０に転送されて、露光用画像データが作成されることになる。ここで画像処理データは、少なくとも画像データと補正データにより構成されるものであり、画像データとしては、スキャナー装置６や画像入力装置７から取得されたオリジナルの画像データをそのまま第２画像処理部２０に送信させることができる。
【００３７】
なお、第１画像処理部１０で画像処理を行った場合、これを直ちに画像処理基板２０に送ってプリント処理を行ってもよいが、あとで適当な時間帯に行うようにすることもできる。そこで、オーダデータ蓄積部９にデータを蓄積するように構成されている。オーダーの概念については、写真店において適宜設定することができるものであるが、例えば、写真フィルム１本、記録媒体１個を１オーダーとして扱うことができる。オーダデータ蓄積部９には、画像データと補正データが保存され、これらのデータにはオーダーＩＤが付与されオーダー単位で管理される。
【００３８】
また、第１画像処理部１０で画像処理を行い、直ちにプリント処理を行うような場合であっても、データをオーダデータ蓄積部９に蓄積しておくようにしている。これは、一度プリント処理を行った場合でも、焼き直し処理や焼き増し処理を行うことがあるので、オーダデータとして保存しておくことが好ましい。画像データと補正データとを対応付けて保存しておけば、焼き直し処理等を行う場合に同じ画像処理を繰り返して行う必要がなく、画像処理を行った結果を補正データとして残しているので、再度活用することができる。なお、焼き直し処理とは、仕上がりの写真プリントの品質がよくない場合に、オペレータの判断で再度プリント処理を行うものをいい、焼き増し処理（リオーダー処理）とは、顧客からの依頼に応じて同じプリントの作成処理を行うものをいう。従って、プリント処理を行っても画像データや補正データを削除してしまうのではなく、前述したように、オーダデータ蓄積部９にデータを蓄積・保存する。
【００３９】
また、第１画像処理部１０における画像処理やプリント処理を行う場合には、種々の設定データを予め設定しておく必要がある。設定データは、設定データファイル保存部１４に保存される。設定データとしては、例えば、プリントチャンネルに関するデータがあげられる。プリントチャンネルとは、写真プリント作成のために使用するペーパーの種類（面質やメーカーなど）、プリントサイズ、画像データの取得元（デジタルカメラからのデータかネガフィルムからのデータか等）等を登録したものである。したがって、デジタルカメラから取得された画像データに基づいて、特定のプリントサイズの写真プリントを作成しようとする場合は、それに適したプリントチャンネルを選択する必要があり、そのためには、そのようなプリントチャンネルを予め設定しておく必要がある。その他の設定データとしては、画像処理作業でキーボードから補正データを入力する場合のキー操作１回あたりの変化量があげられる。例えば、キーボードの特定のキーを１回押すと、Ｙ色が「＋１」だけ変化するところを「＋１．５」変化するように設定することもできる。
【００４０】
次に、第２画像処理部２０について説明する。第２画像処理部２０は、受信メモリ２１と画像処理手段２２と送信メモリ２３とファームウェア２４とが設けられている。第２画像処理部２０は、実際に露光用に使用される画像データを生成する機能を有する。受信メモリ２１は、送信されてきた画像データ及び補正データを受け取る。画像処理手段２２は、第１画像処理部１０の画像処理手段１２とは異なり、ハードウェアによるものである。補正データに基づいて、ファームウェア２４による処理内容を設定することができ、これに基づいて露光用画像データを生成するための処理が行われる。以上のように、ハードウェアを中核として第２画像処理部２０が構成されているので、第２画像処理部２０による画像処理は高速に処理される。
【００４１】
この画像処理手段２２において行われる画像処理は、補正データに基づいて行う色・濃度が補正された形の補正画像データを生成するだけでなく、作成するべきプリントサイズと同じサイズのデータとなるような拡大処理、あるいは、画像の縦横を変換する回転処理、必要に応じて行われる赤目補正や逆光補正等の特殊補正、仕上がりの写真プリントの色合いとモニター画面における色合いを合わせるためのカラーマッチング補正、現像処理液の種類や経時変化を考慮した補正等があげられる。また、ＪＰＥＧ等の圧縮ファイル形式の画像データをビットマップに展開する処理も行われる。画像処理手段２２により処理された結果得られた露光用画像データは、送信メモリ２３に送られる。
【００４２】
上記ファームウェア２４は、ハードウェアである第２画像処理部２０に付随するソフトウェアの一種であり、適宜のタイミングでバージョンアップされ更新される。
【００４３】
第２画像処理部２０に送信されてくるデータは、写真処理装置１の内部で作成されたものと、ネットワーク３を経由して送信されてくるものがある。そこで処理選択手段２５を設けており、いずれか一方からの画像処理データを受け付けることができる。既に説明したように、写真処理装置１は第１プリントモードと第２プリントモードを選択的に設定することができ、第１プリントモードでは写真処理装置内部で生成した画像処理データを受け付け、第２プリントモードではネットワーク３からの画像処理データを受け付けてプリント処理を実行する。なお、処理選択手段２５は、ソフトウェア的に機能を切り換えるものであり、図２では概念的に示すものである。モードの切り換えは、モニター１５にモード設定画面を表示させ、いずれかのプリントモードを選択することができる。
【００４４】
データ送受信部２６は、ネットワーク３に接続される端末処理装置２との間でデータのやり取りを行う機能を有する。プリント処理受付手段２６ａは、ネットワーク３に接続された端末処理装置２からのプリント作成処理の依頼を受け付ける。プリント処理の依頼を受け付けた場合、画像処理データ（オリジナル画像データ＋補正データ）を第２画像処理部２０へ転送するように制御する。あるいは、オーダデータ蓄積部９に一旦画像処理データを蓄積し、適宜のタイミングでプリント処理を開始するようにしてもよい。
【００４５】
画像処理受付手段２６ｂは、端末処理装置２からの特定の画像処理の依頼を受け付ける機能を有する。後述するが、端末処理装置２には、ハードウェアによる画像処理部は設けられておらず、ハードウェアによる画像処理が必要な場合は、そのデータが端末処理装置２から送信されてくる。受け付けられたデータは、第２画像処理部２０へと転送されることになる。処理結果送出手段２６ｃは、画像処理受付手段２６ｂで受け付けられた画像処理の依頼に係るデータが第２画像処理部２０で処理された場合、その処理結果を端末処理装置２へと送り返す機能を有する。
【００４６】
画像処理制御手段２７は、端末処理装置２から画像処理の依頼があった場合に、第２画像処理部２０に対する制御を行う機能を有する。監視手段２７ａは、第２画像処理部２０の稼動状況を監視する。第２画像処理部２０が完全に使用されており、全く使用できない状態か、一部使用されているが、画像処理の依頼が可能な状態であるかなどを監視する。この監視結果に基づいて、端末処理装置２からの依頼を直ちに処理すべきか否かを判定する。
【００４７】
調整手段２７ｂは、ネットワーク３に接続される複数の端末処理装置２からの画像処理の依頼があった場合、どちらを先に処理すべきかを調整する機能を有する。例えば、時間的に先に依頼のあったほうを先に処理するように調整できる。また、予め優先順位を設定しておき、これに基づいて処理順番を調整することができる。これにより、適切に画像処理の依頼を処理することができる。この場合も、監視手段２７ａによる監視結果を考慮した上で調整することができる。
【００４８】
返信手段２７ｃは、監視手段２７ａによる監視結果の内容を端末処理装置２に対して返信する機能を有する。例えば、第２画像処理部２０が写真処理装置１のプリント処理のために使用できない状態であれば、その旨の信号を生成し、データ送受信部２６を介して端末処理装置２に対して返信することができる。また、使用できない状態が継続する時間を予測して返信するようにしてもよい。
【００４９】
次に、写真処理装置のプリンタプロセッサー部の構成を簡単に説明する。ペーパーマガジン３０には、写真感光材料である長尺状ペーパーがロールに巻き取られた形態で収容されている。ペーパーマガジン３０は、写真処理装置１に複数台取り付けることもできる。これにより、ペーパーサイズの異なるものを複数種類予め用意しておくことができる。ペーパーマガジン３０から引き出されたペーパーは、所定の搬送経路に沿って搬送されるように構成され、搬送経路途上に設けられたペーパーカッター３１により、所定のプリントサイズに切断される。切断されたペーパーは、露光エンジン３２（画像露光部に相当） に搬送される。露光エンジン３２は、第２画像処理部２０の送信メモリ２３から転送されてきた露光用画像データを用いて、ペーパーの乳剤面の画像を露光形成する。露光エンジン３２は、一定速度で副走査方向に搬送されるペーパーに対して、露光光を主走査方向に走査することで潜像を形成させる。露光エンジン３２としては、種々の構造のものを採用することができ、例えば、レーザーエンジン、ＰＬＺＴエンジン、ＣＲＴエンジン等を採用することができる。
【００５０】
露光エンジン３２により画像を焼付露光されたペーパーは、現像処理部３３に送り込まれ画像処理が施された後、乾燥処理部３４で乾燥処理が施され、ペーパー排出部３５から仕上がりの写真プリントが装置外部に排出される。排出された写真プリントは、１オーダー単位で不図示の集積部に集積される。
【００５１】
＜端末処理装置の機能ブロック構成＞
次に、端末処理装置２の機能を図３のブロック図により説明する。写真処理装置１と同様に画像処理を行うための第３画像処理部４０が設けられている。この第３画像露光部４０は、ソフトウェアにより構成されるものであり、ＧＵＩ４１と、画像処理手段４２と、ネットワーク制御手段４３として機能するモジュールを備えている。このＧＵＩ４１と画像処理手段４２については、写真処理装置１の第１画像処理部１０のＧＵＩ１１及び画像処理手段１２と同じ機能を有する。すなわち、 写真処理装置１と端末処理装置２では、ハード制御手段１３とネットワーク制御手段４３のモジュールを除いて同じソフトウェアを使用している。同じソフトウェアとすることで、写真処理装置１と端末処理装置２とで同じプレジャッジ作業を可能にしている。端末処理装置２において得られた画像処理データ（補正データ）及び画像データは、ネットワーク制御手段４３（画像処理データをネットワークへ送出するデータ送出手段に相当）の機能に基づいて、ネットワーク３を経由して写真処理装置１に転送することができる。
【００５２】
画像処理（プレジャッジ）やその他の写真処理作業を行うため、モニター４４とキーボード４５が設けられている。また、設定データファイル保存部４６には設定データファイルが保存されており、基本的にこのファイルは写真処理装置１に保存されている設定データファイルと同じものが使用される。これにより、写真処理装置１と端末処理装置２とで同じ条件下で画像処理等の作業を行うことができ、写真処理装置１と端末処理装置２のいずれで画像処理を行ったとしても、同じ品質の写真プリントが得られるようにしている。
【００５３】
画像処理依頼手段５３は、特定の画像処理に関して写真処理装置１の第２画像処理部２０に依頼する機能を有する。第３画像処理部４０による画像処理（プレジャッジ）は、ソフトウェアにより行われるが、画像処理の内容によってはハードウェアを利用した方が好ましい場合や、ハードウェアを用いないとできないような場合もある。かかる場合、ハードウェアにより構成される第２画像処理部２０を利用して画像処理を行う。プレジャッジにおいて、ハードウェアを利用したほうがよい画像処理としては、赤目補正、逆光補正などの特殊補正や、証明写真作成やアルバム写真作成などのテンプレートを利用した画像処理である。
【００５４】
処理結果受取手段５４は、画像処理を写真処理装置１に依頼した場合、第２画像処理部２０により行われた処理結果を受け取る機能を有する。第３画像処理部４０は、受け取った処理結果に基づいて、モニター４４の画面に反映させる。
【００５５】
画像入力装置４７は、デジタルカメラの記憶メディアやその他の記録媒体から画像データを取得するための装置である。入力された画像データは、一旦画像データ記憶部４８に記憶される。第３画像処理部４０による画像処理の作業は、すでに写真処理装置１のところで説明したのと同じであり、モニター画面の構成例も写真処理装置１と同じにすることができる。第３画像処理部４０による画像処理により得られた補正データは、補正データ記憶部４９に一旦保存される。画像データ記憶部４８と補正データ記憶部４９については、図２における画像データ記憶部８及び補正データ記憶部１７と同じである。また、画像データ記憶部４８及び補正データ記憶部４９とを合わせてデータ記憶部５１と定義する。
【００５６】
以上のように、第２画像処理部４０による画像処理で得られた画像処理データにより写真プリントが作成されることになるが、直ちにプリント処理を行う必要はなく、データを蓄積しておいて、後でプリント処理をまとめて行うようにすることもできる。そのために、オーダデータ蓄積部５０が設けられており、ここにオーダデータを蓄積しておくことができる。これは、図２のオーダデータ蓄積部９の場合と同じである。すなわち、 画像データと種々の補正データが蓄積・保存され、焼き直し処理や焼き増し処理に容易に対応することができる。
【００５７】
保存されるデータは、画像データと補正データの他に、画像ファイル名や入力メディアのタイプ（種類）についても保存される。また、データはオーダー単位で管理するため、オーダーを特定するＩＤや、必要に応じて顧客情報も保存される。
【００５８】
端末処理装置２では、写真処理装置１における稼動状況とは関係なく、画像処理作業を集中的に行うことができる。端末処理装置２で画像処理を行っている間も、写真処理装置１はこれとは切り離してプリント処理を行うことができるので、画像処理システム全体の処理効率が向上する。また、写真処理装置１の電源がＯＦＦになっていたとしても、端末処理装置２だけで画像処理を行うことができる。例えば、写真処理装置１が稼動していない夜間にまとめて画像処理を行って、オーダデータを蓄積しておき、翌朝まとめてプリント作成処理を行うようにできるので、作業効率を高めることができる。
【００５９】
＜プレジャッジ画面＞
次に、プレジャッジを行う場合の画面構成例を説明する。画面構成例は、写真処理装置１の場合も端末処理装置２の場合も同じである。以下、端末処理装置２の場合を例に挙げて説明する。画像入力装置４７により画像データを入力すると、その画像がモニター４４に表示される。図４は、６コマ分の画像を表示された表示例を示している。オペレータは、この画像を見ながら適切な色・濃度の写真プリントが作成できるか否かを判断する。このようなプリント前段階の作業をプレジャッジと称し、図４に示す画面をプレジャッジ画面と称する。
【００６０】
６コマの画像のうちの作業対象となっている画像エリア６０は、太い黒枠６１で囲まれている。また、画像エリア６０の内側には、プリント領域をあらわすプリント枠６２が示されている。また、プリントサイズ表示エリア６３には、プリントサイズが表示されており、ここに表示されるプリントサイズに対応したプリント枠６２が示されることになる。図例では、プリントサイズとして「Ｃ」（クラシカルサイズ）が示されている。なお、プリント枠６２としては、指定されたプリントサイズに対応したプリント枠６２がデフォルトとして表示される。プリントサイズの指定は、例えば、プレジャッジ作業を行う前に指定することができる。プリントサイズの設定変更はプレジャッジ画面で行うことができる。ファイル名表示エリア６５には、画像のファイル名が表示される。写真フィルムのコマ画像を読み取る場合、ファイル名は自動的に付与される。
【００６１】
色・濃度補正エリア６４には、Ｙ，Ｍ，Ｃの３色の補正データを入力するためのエリアと、濃度の補正データを入力するためのエリアとが設けられている。オペレータは、表示された画像を見ながら、補正を行った方がよい場合は、必要に応じて補正データの入力を行う。ボタン６６は、特殊補正を行うための画面を起動させるためのもので、色・濃度の補正の他に赤目補正や階調補正等の特殊補正を行いたい場合は、このボタン６６をクリックすれば特殊補正のための画面に移行する。プリント枚数表示エリア６７には、画像のプリント枚数が表示されており、デフォルトとしては１枚が設定されている。
【００６２】
次に図５に示す１コマ拡大表示画面について説明する。図４において選択されている画像をダブルクリックすることで（他の方法でもよい）、図５の表示画面に移行する。プリント枠６２が表示されており、これは図４に示されているのと同じ位置・大きさである。
【００６３】
ズーム率設定エリア７０では、プリント枠６２の大きさを拡大縮小設定することができる。この数値（ズーム値）を大きくすると、画像の大きさが大きくなり、逆にすれば、画像の大きさは小さくなる。画像回転設定エリア７１では、プリント枠に対して画像を回転させることができる。なおボタン７２を利用すれば、−９０゜、１８０゜、＋９０゜の回転操作については、１クリックで行うことができる。位置調整カーソル７３によりプリント枠６２に対する画像の位置を上下左右に移動させることができる。これにより、プリントされる領域を微調整することができる。
【００６４】
左右反転ボタン７４は、画像の左右を反転させる操作を行うことができる。上下反転ボタン７５は、画像の上下を反転させる操作を行うことができる。赤目補正ボタン７６は、赤目補正を行うためのクリックボタンである。ボタン７７は、図４のボタン６６と同じ機能である。色・濃度補正エリア７８は、図４で説明したのと同じ機能を有する。
【００６５】
ＯＫボタン７９をクリックすれば、１コマ拡大画面で作業した内容が保存される。プリント領域の設定データも画像データと共に保存される。これら設定した内容は、補正データに相当するものであり、補正データ記憶部４９に保存される。キャンセルボタン８０をクリックすれば、１コマ拡大画面で設定したデータがキャンセルされる。ＯＫボタン７９をクリックすれば、図４の６コマ表示画面に戻ることができ、次のコマ画像に関する作業に移行することができる。
【００６６】
＜画像処理の手順＞
次に、プレジャッジにおける画像処理の手順を図６、図７のフローチャートを用いて説明する。まず、画像入力装置４７を介して画像データを取り込む（＃１）。取り込まれた画像データは、モニター４４の画面に表示される（＃２）。画面の構成例は、図４で説明した通りである。次に、図５で示したような１コマ拡大画面に移行する（＃３）。以下は、赤目補正を行うものと仮定して説明する。そのためにボタン７６をクリックして赤目補正を選択する（＃４）。
【００６７】
画像補正のための操作が行われた場合、処理を写真処理装置１に依頼するか否かを判定する（＃５）。赤目補正は、写真処理装置１に依頼すべき処理であるから、依頼をするためのデータを生成する。赤目補正を行う場合は、オリジナルの画像データを送信する。また、画像データと合わせて、赤目補正の依頼であることを表わす信号もあわせて送信する（＃６）。データの送信により、写真処理装置１の第２画像処理部２０において、画像処理が行われる。処理が終了すると、写真処理装置１から処理結果が送信されてくる。処理結果を受け取ると（＃７）、処理結果がモニター画面に反映され表示される（＃８）。これにより、赤目補正された結果を画面上で確認することができる。なお、図４や図５に表示される画像は、オリジナルの画像データよりもデータサイズの小さなサムネイル画像であり、写真処理装置１からの処理結果として、プレジャッジ画面に表示させるサムネイル画像データを送り返すようにしてもよい。
【００６８】
ステップ＃５で写真処理装置１に処理を依頼しないような画像補正であれば、第３画像処理部４０の機能を用いてソフトウェアにより処理を行うことができる。その場合も、同じように処理結果を表示させることができる（＃８）。他の処理を続行する場合は、ステップ＃２に戻り、他の種類の画像補正や、他のコマ画像についての画像補正を行う（＃９）。
【００６９】
次に、図７のフローチャートにより、依頼を受けた写真処理装置１の側の処理手順を簡単に説明する。まず、画像処理受付手段２６ｂにより処理依頼のデータを受け取る（＃１０）。そして、監視手段２７ａの機能に基づいて、第２画像処理部２０が使用可能であるかどうかを判定する（＃１１）。使用可能でなければ、使用可能な状態になるまで待機する。使用可能であれば、調整が必要か否かを判定する。複数の端末処理装置２から処理の依頼があった場合は、調整が必要であり、予め設定したルールに基づいて順番に処理を行う（＃１３）。
【００７０】
次に、依頼に係る画像処理を第２画像処理部２０の機能を用いて行う（＃１４）。依頼が赤目補正である場合、送信されてきたオリジナルの画像データを用いて、人間の赤目の位置や顔の位置を自動的に認識する処理を行う。処理結果としては、赤目の位置を抽出した上で、実際に赤目補正を行い、補正された画像データを送り返すことができる（＃１５）。この場合、モニター画面に表示させるためのサムネイル画像で送信するようにすれば、データ量を少なくできるので好ましい。また、画像データを送信するのではなく、赤目の位置や顔の位置などの座標データのみを送り返すようにしてもよい。端末処理装置２では、この位置データを用いて、第３画像処理部４０の機能により表示のためのサムネイル画像を生成することができる。
【００７１】
図７に示す処理は、写真処理装置１や端末処理装置２のオペレータには意識されない形で実行される。すなわち、端末処理装置２のオペレータにとって、写真処理装置１に依頼するか否かという処理は、意識することなく行われ、何れの場合も同じような操作勝手で行うことができる。また、写真処理装置１のオペレータにとっても、端末処理装置２からの依頼があったか否かについては、全く意識することなく自分の行う処理を行うことができる。監視手段２７ａの機能により、画像処理の依頼があったとしても、作業効率が低下してしまうようなことはない。
【００７２】
＜別実施形態１＞
上記説明では、写真処理装置１に依頼する処理として赤目補正を例にあげて説明したが、これに限定されるものではない。どのような処理を依頼するかについては、第３画像処理部４０の機能に鑑みて、適宜設定することができる。
【００７３】
本発明に係る写真処理装置は、画像処理部と画像露光部が一体化された装置でなくても良い。例えば、図１ではスキャナー装置６は写真処理装置本体と切り離された構造になっているが、これと同じように画像処理部と画像露光部とを切り離した構造としても良い。切り離した場合は、通信回線により接続がされる。
【００７４】
端末処理装置２は、汎用のコンピュータ（パソコン）により構成することができるが、これに限定されるものではなく、特定の機能に特化したコンピュータにより構成してもよい。
【００７５】
本実施形態において、端末処理装置２はソフトウェアによる第３画像処理部４０しか備えていないが、写真処理装置１と同様にハードウェアによる第４画像処理部を備えていてもよい。この場合、第４画像処理部は、写真処理装置１の第２画像処理部２０と全く同じ機能でもよいし、一部の機能のみを備えた構成でもよい。
【図面の簡単な説明】
【００７６】
【図１】画像処理システムの概要を示す模式図
【図２】写真処理装置の構成を示す機能ブロック図
【図３】端末処理装置の構成を示す機能ブロック図
【図４】プレジャッジ画面（６コマ表示）の構成例を示す図
【図５】プレジャッジ画面（１コマ拡大表示）の構成例を示す図
【図６】写真処理装置に画像処理を依頼する場合の手順を示すフローチャート（端末処理装置側）
【図７】写真処理装置に画像処理を依頼する場合の手順を示すフローチャート（写真処理装置側）
【符号の説明】
【００７７】
１        写真処理装置
２        端末処理装置
３        ネットワーク
１０      第１画像処理部
１２      画像処理手段
２０      第２画像処理部
２２      画像処理手段
２６      データ送受信部
２６ａ    プリント処理受付手段
２６ｂ    画像処理受付手段
２６ｃ    処理結果送出手段
２７      画像処理制御手段
２７ａ    監視手段
２７ｂ    調整手段
２７ｃ    返信手段
４０      第３画像処理部
４２      画像処理手段
５２      データ送受信部
５３      画像処理依頼手段
５４      処理結果受取手段
【図１】
2006108905.tif 000003
【図２】
2006108905.tif 000004
【図３】
2006108905.tif 000005
【図４】
2006108905.tif 000006
【図５】
2006108905.tif 000007
【図６】
2006108905.tif 000008
【図７】
2006108905.tif 000009